(57)【特許請求の範囲】
【請求項１】
容器の略円筒形の口部の円形の上面にインナーシールを固着して前記上面に設けた開口部を密封する容器において、前記インナーシールが、前記容器の前記口部とほぼ同形の円形を基本として、その円周の３箇所に摘み片を等間隔に設けている形状であり、前記容器の前記上面の形状を、円の中心点を対称点として対称に円周の両側縁を１対の弓形で切り欠いた形状とし、前記弓形の弦同士が平行であり、前記弓形の円弧の長さが、円周の長さの１／６より長く、１／２より短い範囲であり、かつ、前記弓形の弦が、前記開口部の外周から外側に１ｍｍ以上離れた位置としたことを特徴とするインナーシールを用いた容器。
【発明の詳細な説明】
【技術分野】
【０００１】
本発明は、インナーシールを用いた容器に関する。詳しくは、インナーシールの摘み部を手指先で剥がす際に、容易に剥すことができるようにしたインナーシールに適応した口部形状を有する容器に関する。
【背景技術】
【０００２】
従来より、チューブなどのキャップ付きの容器においては、充填している内容物の老化や劣化を防止するために容器口部にインナーシールを貼りつけ、容器内を気密にするのが一般的である。このような目的で用いられるインナーシールとしては、アルミニウム箔と合成樹脂の積層フィルムからなるインナーシールを容器口部の外径と同寸に裁断し、容器口部に接着したときに容器口部の外縁からインナーシールがはみ出ることがないようにしたもの、容器口部の外径よりも径を大きく裁断し、容器口部に接着したときに径を大きくした余裕部分がシール剥がし用の摘み部として利用できるようにしたもの、容器口部の外径と同寸に裁断するとともに、周縁の一部にシール剥がし用の摘み片を突出するように形成したものなどが知られている。また、インナーシールの一部を折り返して突起状に形成し、引き剥がし時の摘みとして形成することが特許文献に記載されている。
【先行技術文献】
【特許文献】
【０００３】
【特許文献１】特開２００２−１７９１２４号公報
【発明の概要】
【発明が解決しようとする課題】
【０００４】
容器口部の円形の上面の外径よりも径が大きくなるように裁断したインナーシールの場合、容器口部の全周にわたってインナーシールが張り出しているため、製造時にその上からキャップを嵌める際に、キャップが斜めに締まったりしてキャップが嵌めにくくなるという問題があった。
【０００５】
また、容器口部の円形の上面の外径と同寸に裁断するとともに、円周の一部にシール剥がし用の摘み片を突出形成したインナーシールの場合、摘み片が一箇所の形状であると、容器の口部にインナーシールを貼合する工程で必ずズレが生じるので、そのズレにより摘み片が容器の口部の円形の上面の端部から突出する部分が少なくなり指で摘むことが難しくなるという問題が発生する。この問題を防ぐために、予め摘み片の長さを長くした場合には、その摘み部の上にキャップをすることになりねじ山を干渉するという問題がある。
【０００６】
前述のインナーシールの一部を折り返して突起状に形成し、引き剥がし時の摘みとして形成する形状は、摘みとなる部分がキャップ内に収まり、見栄えが良いが、インナーシールを口部の上面端縁から引き剥がすのではなく、口部上方へ引き剥がすのでインナーシールを指先で掴みにくいものであった。
【０００７】
上記いずれの方法の場合においても、製造者は、容器の口部に熱シールしたインナーシールのシール強度（貼り付け強度）をできるだけ高くし、容器の密封性を高くする傾向にあるが、シール強度を高くすると剥がしにくくなり、逆にシール強度を低くすると剥がしやすくはなるが、密封性の不十分になるという、相反する性質を有するため、密封性を高度に維持しながら同時に剥がしやすいインナーシールを得ることはなかなか困難であった。
【０００８】
本発明は、上記のような問題を解決するためになされたもので、簡単かつ確実に剥すことができるインナーシールに適応した口部形状を有する容器を提供することを目的とするものである。
【課題を解決するための手段】
【０００９】
上記目的を達成するための、第一の発明は、容器の略円筒形の口部の円形の上面にインナーシールを固着して前記上面に設けた開口部を密封する容器において、前記インナーシールが、前記容器の前記口部とほぼ同形の円形を基本として、その円周の３箇所に摘み片を等間隔に設けている形状であり、前記容器の前記上面の形状を、円の中心点を対称点として対称に円周の両側縁を１対の弓形で切り欠いた形状とし、前記弓形の弦同士が平行であり、前記弓形の円弧の長さが、円周の長さの１／６より長く、１／２より短い範囲であり、かつ、前記弓形の弦が、前記開口部の外周から外側に１ｍｍ以上離れた位置としたことを特徴とするインナーシールを用いた容器である。
【発明の効果】
【００１１】
本発明の容器の口部では、容器の上面の形状を、円の中心点を対称点として対称に円周の両側縁を１対の弓形で切り欠いた形状として段差状に形成することによって、この欠けた部分からインナーシールを指先で剥がすことができる。また、インナーシールに摘み片を設けた場合も、摘むのに要する大きさを確保でき、簡単に剥がすことが出来る。
【００１２】
また、摘み片を円形のインナーシールの円周に等距離に３箇所設けている本発明のインナーシールを使用した本発明の容器の口部では、容器の上面の形状を、円の中心点を対称点として対称に円周の両側縁を１対の弓形で切り欠いた形状とし、弓形の弦同士を平行とし、かつ、弓形の円弧の長さを、円周の長さの１／６より長くすることによって、インナーシールの摘み片を指先で剥がす際に、摘むのに要する大きさを確保でき、簡単に剥がすことが出来る。また、シール強度を強くして十分な密封性のよいものを製することができるとともに、これを容易に引き剥がし、開口できるという効果を有する。
【図面の簡単な説明】
【００１３】
【図１】本発明の容器の一実施例の口部を示す平面図および斜視図である。
【図２】本発明の容器におけるインナーシールの一実施例を示す平面図である。
【図３】図１の一実施例のインナーシールをずれてシールした状態を示す図である。
【図４】本発明の容器の口部にインナーシールを貼った状態の位置関係を示す概略図である。
【図５】本発明の容器の一実施例の口部に本発明のインナーシールを貼った状態を示す斜視図である。
【発明を実施するための形態】
【００１４】
以下、本発明の実施の形態について図面を参照して説明する。
図１は、本発明の容器の一実施例の口部を示す平面図および斜視図であり、図２は、本発明の容器におけるインナーシールの一実施例を示す平面図であり、図３は、図１の一実施例のインナーシールをずれてシールした状態を示す図であり、図４は、本発明の容器の口部にインナーシールを貼った状態の位置関係を示す概略図であり、そして、図５は、本発明の容器の一実施例の口部に本発明のインナーシールを貼った状態を示す図である。
【００１５】
まず、インナーシールを使用した本発明の容器について説明する。本発明の容器の口部３の上面４の形状（斜線の部分）は、図１−ａに示すように、円の中心点Ｏを対称点として対称に円周Ｓの両側縁を１対の弓形Ａ、Ｂで切り欠いた形状としている。
このように、容器の口部３の上面４の形状を、１対の弓形Ａ、Ｂで切り欠いた形状とすることによって、この欠けた部分からインナーシールを指先で剥がすことができる。また、インナーシールに摘み片を設けた場合も、摘むのに要する大きさを確保でき、簡単に剥がすことが出来る。
【００１６】
つぎに、円周の３箇所に摘み片を設けているインナーシールを使用した本発明の容器について説明する。
本発明のインナーシール１は、図２に示すように、容器２の口部３とほぼ同形の円形を基本として、その円周Ｓの３箇所に摘み片Ｔを設けている。この摘み片Ｔは円周Ｓに等間隔に設け、指で摘みやすいように、円周Ｓに沿ったその幅は３〜１０ｍｍ、高さは２〜７ｍｍの範囲とすることが好ましい。幅が３ｍｍ未満、あるいは高さが２ｍｍ未満の場合には、指で摘みにくくなり、一方、幅が１０ｍｍを越える、あるいは、高さが７ｍｍを超えた場合には、被せるキャップに支障をきたすことになる。円周Ｓに３箇所に等間隔に設けられているので、どの方向からも摘むことができ、また、インナーシール１を容器２の口部３に貼着する工程で多少のズレが生じても、図３−ａ、ｂに示すように、３個所の内の１箇所の摘み片Ｔがより大きく口部の側端から突出する形となり、この摘み片Ｔはより摘みやすくなる。摘み片が２箇所以下の場合、インナーシール２を容器２の口部３に貼着する工程でズレが生じた時に摘み片が摘みにくくなる可能性がある。３箇所以上にすれば、いずれか１個所の摘み片が突出して摘みやすくなる。しかし、キャップを装着する点からは、突出する部分は少ない方が好ましいという観点から、摘み片は３箇所が好ましい。
【００１７】
本発明の容器の口部３の上面４の形状（斜線部分）は、図１−ａに示すように、円の中心点Ｏを対称点として対称に円周Ｓの両側縁を１対の弓形Ａ、Ｂで切り欠いた形状としている。従って、両側の弓形Ａ、Ｂの弦ａ、ｂ同士は平行となっている。また、円弧形Ａ、Ｂの円弧ａ´、ｂ´の長さを、円周Ｓの長さの１／６より長く、１／２より短い範囲としている。
すなわち、（１／２）Ｓ＞ａ´、ｂ´＞（１／６）Ｓとしている。
このような形状および弓形Ａ、Ｂの円弧ａ´、ｂ´の長さとすることにより、図４−ａに示すように、円周Ｓに３箇所に等間隔に設けた摘み片Ｔの一つが切り欠いた弓形Ａ、Ｂの弦ａ、ｂである直線部に必ずかかることになり、口部３の端部から突出した状態となり、摘むのに要する大きさを確保でき、その摘み片Ｔが指で摘みやすくなる。弓形Ａ、Ｂの円弧ａ´、ｂ´の長さを、円周Ｓの長さの１／６より短くした場合、図４−ｂに示すように、３箇所に設けた摘み片Ｔの内、１箇所の摘み片Ｔも切り欠いた弓形Ａ、Ｂの弦ａ、ｂである直線部にかからない位置となることがあり、摘み片Ｔが摘みにくくなる。一方、円周Ｓの長さの１／２より短くとしているが、弓形Ａ、Ｂの円弧ａ´、ｂ´の長さは、弓形Ａ、Ｂの弦ａ、ｂが開口部５に至らないようにする必要があり、少なくとも開口部５の外周との距離は１ｍｍ以上が必要である。１ｍｍ未満の場合、容器２の上面にインナーシール１を充分な密封性を有して熱シールすることができない。
【００１８】
インナーシール１を容器２の口部３の上面４に熱板により熱シールして、開口部５を覆って容器２内を気密にして内容物を密封している。インナーシール１を剥がす際には、図４に示すように、３箇所のいずれかの摘み片Ｔを起こして手指で摘み上げ、上方ないし、摘み片Ｔと反対方向へ引き剥がすことにより簡単にしかもきれいにインナーシール１を剥すことができる。
【００１９】
本発明のインナーシールの材料構成は、容器の材料に合せて適宜選定するが、例えば、アルミ箔あるいは紙の裏面にポリエチレンフィルムをコーティングまたはラミネートした２層構造の積層フィルム、あるいは、２層構造に限られるものではなく、多層構造の積層フィルムを用いることもできる。なお、インナーシール１の材質は特に限定はなく、必要に応じてバリア層などを設けることができる。
【実施例】
【００２０】
つぎに、実施例について、説明する。本発明はこれに限定されるものではない。
（実施例）
本発明のインナーシールを、アルミ箔を基材として、裏面に無延伸ポリプロピレンフィルムを貼り合せた積層体を、図２に示すような、円形の３箇所に摘み片を設けた形状に打ち抜いて作成した。
ついで、本発明の容器である図５−ａに示すようなチューブ容器を、ポリプロピレン樹脂を使用して、ブロー成形により作成した。このチューブ容器の円筒状の口部の上面の形状は、直径１０ｍｍの円形の両側縁を１対の弓形で切り欠いた形状で、上面の中央には直径４ｍｍの開口部を設けている形状とした。切り欠いた弓形の円弧の長さは円周の１／６以上として、６ｍｍとした。切り欠いた弓形の弦は開口部の外周より１ｍｍ以上離れている位置とした。
このチューブ容器の口部の上面にインナーシールを熱シールして貼着した。自動機での加工であるが、インナーシールの容器の口部の上面に貼る位置が、いずれの方向にずれた場合にも、インナーシールが回転してずれた場合にも、図５−ｂに示すように、摘み片が摘み難くなるということはなかった。
【符号の説明】
【００２１】
１    インナーシール
２    容器
３    口部
４    上面
５    開口部
Ｏ    中心点
Ｔ    摘み片
Ｓ    円周
Ａ    弓形
Ｂ    弓形
ａ    弦
ｂ    弦
ａ´  円弧
ｂ´  円弧
【図１】
0005966260.tif 000002
【図２】
0005966260.tif 000003
【図３】
0005966260.tif 000004
【図４】
0005966260.tif 000005
【図５】
0005966260.tif 000006